(57)【要約】【課題】監視拠点が設置された現場の状況変化に応じて監視データの転送、蓄積及び再生を管理する管理方法を変更して、重要な監視データの保護及び活用を可能にすること。【解決手段】▲２▼、▲３▼において、センタサーバＡは、拠点サーバＢか送信されたトリガをトリガ受信部１１Ａで受信し、トリガに設定されたコンテンツ識別子「破損センサ作動」をトリガ解析／生成部１１Ｃで解析し、拠点サーバＢにおいて破損センサが作動したことを認識し、トリガに設定された映像コンテンツ番号「ｉｄ＝１」に基づいて、拠点サーバＢに対して「ｉｄ＝１」の映像コンテンツの取得要求を送信し、拠点サーバＢからコンテンツ映像を取得してコンテンツ管理部２２によりストレージ２３に蓄積する。【選択図】      図７
2005025533.tif 000002
【特許請求の範囲】
【請求項１】
監視情報を蓄積する監視装置と、該監視装置をネットワークを介して管理する管理装置とから構成された監視システムにおいて、
前記監視装置は、
前記監視情報を、該監視情報の監視状況を示す識別情報と対応付けて蓄積する蓄積手段と、
監視状況の変化を検出し、その変化した監視状況を示す識別情報を設定した通知情報を生成する通知情報生成手段と、
前記通知情報生成手段により生成された通知情報を前記管理装置に送信する送信手段と、
を具備し、
前記管理装置は、
前記監視装置から送信された通知情報を受信する受信手段と、
前記受信された通知情報に設定された前記識別情報に基づいて、当該識別情報に対応する監視情報を前記受信手段より前記監視装置から取得する監視情報取得手段と、
前記取得された監視情報を前記識別情報と対応付けて蓄積する蓄積手段と、
を具備することを特徴とする監視システム。
【請求項２】
請求項１記載の監視システムにおいて、
前記監視装置は、
前記蓄積手段は、前記監視状況の重要度を示す情報を前記識別情報として前記監視情報に対応付けて蓄積し、
前記通知情報生成手段は、前記変化した監視状況の重要度を示す識別情報を設定した通知情報を生成し、
前記管理装置は、
前記監視装置から取得した監視情報を解析し、その解析結果に基づいて、当該監視情報の重要度を変更する変更情報を設定した通知情報を生成する通知情報生成手段と、
前記通知情報生成手段により生成された通知情報を前記監視装置に送信する送信手段と、
を更に具備し、
前記監視装置は、
前記管理装置から送信された通知情報を受信する受信手段と、
前記受信された通知情報に設定された変更情報に基づいて、前記蓄積手段に蓄積された該当する監視情報の重要度を変更する監視情報管理手段と、
を更に具備することを特徴とする監視システム。
【請求項３】
請求項１記載の監視システムにおいて、
前記監視装置の前記通知情報生成手段は、前記蓄積手段に識別情報に対応付けて蓄積された監視情報の蓄積状態に基づいて、当該監視情報が再上書きされるまでの時間を算出し、当該算出時間を寿命として設定した通知情報を生成し、
前記管理装置の監視情報取得手段は、前記受信された通知情報に設定された寿命に基づいて、前記監視情報を取得するタイミングを設定する、
ことを特徴とする監視システム。
【請求項４】
請求項３記載の監視システムにおいて、
前記管理装置を複数設け、
前記監視装置は、
前記監視情報の寿命を経過しても、前記寿命を通知した管理装置から監視情報の取得が行われない場合、前記寿命を設定した通知情報を他の管理装置に送信して、当該他の管理装置に対して監視情報の取得を促す、
ことを特徴とする監視システム。
【請求項５】
監視情報を蓄積する監視装置と、該監視装置をネットワークを介して管理する管理装置とから構成された監視システムにおける監視方法おいて、
前記監視装置において、
前記監視情報を、該監視情報の監視状況を示す識別情報と対応付けて蓄積する蓄積ステップと、
監視状況の変化を検出し、その変化した監視状況を示す識別情報を設定した通知情報を生成する通知情報生成ステップと、
前記生成された通知情報を前記管理装置に送信する送信ステップと、
を具備し、
前記管理装置において、
前記監視装置から送信された通知情報を受信する受信ステップと、
前記受信された通知情報に設定された前記識別情報に基づいて、当該識別情報に対応する監視情報を前記監視装置から取得する監視情報取得ステップと、
前記取得された監視情報を前記識別情報と対応付けて蓄積する蓄積ステップと、
を具備することを特徴とする監視方法。
【請求項６】
映像コンテンツを複数の記憶媒体で蓄積する際の管理を行う映像コンテンツ分散蓄積管理サーバであって、
ある記憶媒体から取得した映像コンテンツに付加された、映像コンテンツの属性を制御するためのトリガを解析するトリガ解析部と、
前記取得した映像コンテンツの内容を解析する映像コンテンツ解析部と、
前記解析されたトリガと解析された前記取得した映像コンテンツの内容とから、新たなトリガを生成するトリガ生成部と、
前記新たなトリガを、前記取得した映像コンテンツの取得先の記憶媒体に通知するトリガ送信部と、
を具備し、
トリガを映像コンテンツの取得先の記憶媒体との間で交換することで、前記複数の記憶媒体に分散して蓄積されている映像コンテンツの属性情報を変更させる、
ことを特徴とする映像コンテンツ分散蓄積管理サーバ。
【請求項７】
請求項６に記載の映像コンテンツ分散蓄積管理サーバにおいて、
前記記憶媒体から取得した映像コンテンツを蓄積するストレージをさらに具備する、
ことを特徴とする映像コンテンツ分散蓄積管理サーバ。
【請求項８】
他のサーバと分散して共有する映像コンテンツを蓄積する映像コンテンツ蓄積サーバであって、
前記他のサーバから映像コンテンツを受信する映像受信部と、
映像コンテンツを前記他のサーバに送信する映像送信部と、
映像コンテンツを蓄積するストレージと、
映像コンテンツを管理する属性を設定するトリガを生成するトリガ生成部と、
トリガを前記他のサーバから受信するトリガ受信部と、
前記受信されたトリガに設定された属性を解析し、解析結果に基づいて該トリガを変更するトリガ変更部と、
前記変更されたトリガを前記他のサーバへ送信するトリガ送信部と、
を具備することを特徴とする映像コンテンツ蓄積サーバ。
【請求項９】
請求項８に記載の映像コンテンツ蓄積サーバにおいて、
映像コンテンツの属性とは、映像コンテンツの削除または蓄積期間を示す情報を少なくとも含む、
ことを特徴とする映像コンテンツ蓄積サーバ。
【発明の詳細な説明】
【０００１】
【発明の属する技術分野】
本発明は、複数の拠点間で映像コンテンツを蓄積するコンテンツ分散管理システムに関するもので、特に、映像監視分野における映像記録方式及びセンサ／画像認識等の異常識別情報に着目して、各拠点間に点在する監視コンテンツのより高度な記録管理を実現するものである。
【０００２】
【従来の技術】
近年、犯罪の増加とともに、カメラ、センサ、蓄積装置等を設置し、犯罪を未然に防止する映像監視システムに対する需要が高まりつつある。また、映像監視システム分野においても、デジタル技術の発展やネットワークインフラの充実により、従来のアナログ技術ベースのＣＣＴＶ（Ｃｌｏｓｅｄ  Ｃｉｒｃｕｉｔ  Ｔｅｌｅｖｉｓｉｏｎ  ）では実現が不可能であった複数の監視拠点を一括管理可能な多地点遠隔監視システム、画像認識技術を応用した人物検出システム、及びカメラ追尾システムといったものも製品化されつつある。
【０００３】
特に、多地点遠隔監視システムは、以下のようなメリットがある。
１．各監視拠点の映像を遠隔バックアップすることにより、犯罪による監視拠点の記録データの損失（証拠隠滅）をなくすことができる。
２．複数の現場を監督する管理者が、異常の確認や従業員の状況把握等を現場に行かなくても管理することができる。
３．管理者の居場所に関係なく、携帯電話、携帯情報端末等を用いて各監視拠点の状況を把握することができる。
【０００４】
これらのメリットを提供する多地点遠隔監視システムとして、例えば、特許文献１の画像監視システムや特許文献２の時系列データ蓄積配信システムが提案されている。
【０００５】
特許文献１の画像監視システムは、複数の撮像装置を接続し、それらで撮影した画像を伝送劣化なく遠隔に置かれた監視装置へ伝送し、この監視装置に接続されたモニター装置で各撮像装置から送信された画像を準動画として同時に監視し、また同時に撮影した画像を実時間で効率的に記録する。
【０００６】
また、特許文献２の時系列データ蓄積配信システムは、時刻や詳細度といったより細かな単位で時系列データの蓄積削除を行い、必要に応じて一時記録領域に蓄積する時系列データを間引き、不足する時系列データのみを配信装置から取得することによって、一時記録領域を節約しつつ、配信装置の負荷と配信装置とキャッシュ装置間の網の負荷を抑える。
【０００７】
【特許文献１】
特開平１１−２８４９８７号公報
【特許文献２】
特開２０００−２０９２５８号公報
【０００８】
【発明が解決しようとする課題】
しかしながらデジタル化された映像データを蓄積するためには、常に記憶容量の制限の問題がある。特に監視映像の場合、常に映像を撮影して、そのデータを常に保持しておきたいものであるが、全ての映像データを永久的に蓄積保存することは現実的に不可能である。記憶装置の容量が一杯になった場合には、記憶されたデータを削除しなければ新たなデータの蓄積はできない。特に監視データの場合、安易に古いデータを削除して良い、という訳にはいかない。
【０００９】
特許文献１には、センタで蓄積した準動画の補足閲覧という観点で、拠点側での蓄積映像をセンタに伝送し、相互連携して監視を行なう方法が記載されているが、拠点側の蓄積データをどう削除するかと言う観点での考慮がなされていない。
【００１０】
特許文献２には、センタ側の蓄積データをセンサ情報などに応じて優先度をつけ、優先度に応じてセンタ側の情報を間引いて蓄積したり、あるいは削除するなどしてセンタ側の容量の確保に努める技術は記載されているものの、センタ側の容量を一方的に考慮するのみで、各蓄積装置の容量を鑑みた、上記課題が考慮されていない。
【００１１】
本発明はかかる点に鑑みてなされたものであり、映像データ、特に監視映像の映像データを複数の蓄積装置で保存するにあたり、保存されている各映像データの属性情報を蓄積装置間で相互に管理でき、必要であれば属性情報を相互に書き換えることによって、同一映像データの重複・重要度などを動的に管理して効率的に蓄積容量を活用する監視システム及び監視方法を提供する事を目的とする。
【００１２】
また、属性情報を相互に書き換えることにより、センサ誤報によって記録した映像の重要度を下げたり、センサ未作動時の異常箇所を発見できる監視システム及び監視方法を提供する事を目的とする。
【００１３】
【課題を解決するための手段】
本発明の監視システムは、監視情報を蓄積する監視装置と、該監視装置をネットワークを介して管理する管理装置とから構成された監視システムにおいて、前記監視装置は、前記監視情報を、該監視情報の監視状況を示す識別情報と対応付けて蓄積する蓄積手段と、監視状況の変化を検出し、その変化した監視状況を示す識別情報を設定した通知情報を生成する通知情報生成手段と、前記通知情報生成手段により生成された通知情報を前記管理装置に送信する送信手段と、を具備し、前記管理装置は、前記監視装置から送信された通知情報を受信する受信手段と、前記受信された通知情報に設定された前記識別情報に基づいて、当該識別情報に対応する監視情報を前記受信手段より前記監視装置から取得する監視情報取得手段と、前記取得された監視情報を前記識別情報と対応付けて蓄積する蓄積手段と、を具備する構成を採る。
【００１４】
この構成によれば、監視装置側の監視状況の変化に応じて管理装置が監視情報を監視装置から取得して蓄積するため、事件等の異常事態の発生に応じて重要な監視情報を管理装置側で保護することができ、監視システムの信頼性を向上させることができる。
【００１５】
本発明の監視システムは、前記監視装置は、前記蓄積手段は、前記監視状況の重要度を示す情報を前記識別情報として前記監視情報に対応付けて蓄積し、前記通知情報生成手段は、前記変化した監視状況の重要度を示す識別情報を設定した通知情報を生成し、前記管理装置は、前記監視装置から取得した監視情報を解析し、その解析結果に基づいて、当該監視情報の重要度を変更する変更情報を設定した通知情報を生成する通知情報生成手段と、前記通知情報生成手段により生成された通知情報を前記監視装置に送信する送信手段と、を更に具備し、前記監視装置は、前記管理装置から送信された通知情報を受信する受信手段と、前記受信された通知情報に設定された変更情報に基づいて、前記蓄積手段に蓄積された該当する監視情報の重要度を変更する監視情報管理手段と、を更に具備する構成を採る。
【００１６】
この構成によれば、監視装置側の監視状況の変化に応じて管理装置が監視情報の重要度を変更するため、事件等の異常事態の発生に応じて監視情報の重要度を適宜変更することができ、監視情報を管理する手間を削減することができ、監視システムの利便性を向上させることができる。
【００１７】
本発明の監視システムは、前記監視装置の前記通知情報生成手段は、前記蓄積手段に識別情報に対応付けて蓄積された監視情報の蓄積状態に基づいて、当該監視情報が再上書きされるまでの時間を算出し、当該算出時間を寿命として設定した通知情報を生成し、前記管理装置の監視情報取得手段は、前記受信された通知情報に設定された寿命に基づいて、前記監視情報を取得するタイミングを設定する構成を採る。
【００１８】
この構成によれば、監視情報の寿命を設定して、管理装置が監視装置から監視情報を取得するタイミングを設定するため、監視装置が設置された現場の異常事態に応じて柔軟に映像コンテンツを収集する監視システムを実現することができる。
【００１９】
本発明の監視システムは、前記管理装置を複数設け、前記監視装置は、前記監視情報の寿命を経過しても、前記寿命を通知した管理装置から監視情報の取得が行われない場合、前記寿命を設定した通知情報を他の管理装置に送信して、当該他の管理装置に対して監視情報の取得を促す構成を採る。
【００２０】
この構成によれば、複数の管理装置により監視装置で蓄積される監視情報を保存可能としたため、主たる管理装置が何らかの原因により監視装置にアクセスできないような場合でも、代理の管理装置に監視情報を保存させることができ、監視システムの信頼性を更に向上させることができる。
【００２１】
本発明の監視方法は、監視情報を蓄積する監視装置と、該監視装置をネットワークを介して管理する管理装置とから構成された監視システムにおける監視方法おいて、前記監視装置において、前記監視情報を、該監視情報の監視状況を示す識別情報と対応付けて蓄積する蓄積ステップと、監視状況の変化を検出し、その変化した監視状況を示す識別情報を設定した通知情報を生成する通知情報生成ステップと、前記生成された通知情報を前記管理装置に送信する送信ステップと、を具備し、前記管理装置において、前記監視装置から送信された通知情報を受信する受信ステップと、前記受信された通知情報に設定された前記識別情報に基づいて、当該識別情報に対応する監視情報を前記監視装置から取得する監視情報取得ステップと、前記取得された監視情報を前記識別情報と対応付けて蓄積する蓄積ステップと、を具備するようにした。
【００２２】
この方法によれば、監視装置側の監視状況の変化に応じて管理装置が監視情報を監視装置から取得して蓄積するため、事件等の異常事態の発生に応じて重要な監視情報を管理装置側で保護することができ、監視システムの信頼性を向上させることができる。
【００２３】
本発明の映像コンテンツ分散蓄積管理サーバは、映像コンテンツを複数の記憶媒体で蓄積する際の管理を行う映像コンテンツ分散蓄積管理サーバであって、ある記憶媒体から取得した映像コンテンツに付加された、映像コンテンツの属性を制御するためのトリガを解析するトリガ解析部と、前記取得した映像コンテンツの内容を解析する映像コンテンツ解析部と、前記解析されたトリガと解析された前記取得した映像コンテンツの内容とから、新たなトリガを生成するトリガ生成部と、前記新たなトリガを、前記取得した映像コンテンツの取得先の記憶媒体に通知するトリガ送信部と、を具備し、トリガを映像コンテンツの取得先の記憶媒体との間で交換することで、前記複数の記憶媒体に分散して蓄積されている映像コンテンツの属性情報を変更させる、構成を採る。
【００２４】
この構成によれば、映像コンテンツの取得先の記憶媒体とトリガを交換するだけで、その映像コンテンツの属性情報を変更することができ、記憶媒体における映像コンテンツの管理方法等を容易に変更することができる。
【００２５】
本発明の映像コンテンツ分散蓄積管理サーバは、前記記憶媒体から取得した映像コンテンツを蓄積するストレージをさらに具備する、構成を採る。
【００２６】
この構成によれば、記憶媒体に蓄積れた映像コンテンツを管理サーバ側でも保存することができ、記憶媒体側で異常事態が発生して蓄積された映像コンテンツに問題が発生したような場合でも、管理サーバ側で映像コンテンツを確実に保護することができる。
【００２７】
本発明の映像コンテンツ蓄積サーバは、他のサーバと分散して共有する映像コンテンツを蓄積する映像コンテンツ蓄積サーバであって、前記他のサーバから映像コンテンツを受信する映像受信部と、映像コンテンツを前記他のサーバに送信する映像送信部と、映像コンテンツを蓄積するストレージと、映像コンテンツを管理する属性を設定するトリガを生成するトリガ生成部と、トリガを前記他のサーバから受信するトリガ受信部と、前記受信されたトリガに設定された属性を解析し、解析結果に基づいて該トリガを変更するトリガ変更部と、前記変更されたトリガを前記他のサーバへ送信するトリガ送信部と、を具備する構成を採る。
【００２８】
この構成によれば、共有する映像コンテンツを分散して蓄積する複数のサーバ間でトリガを交換するだけで、各サーバにおける映像コンテンツの管理方法等を容易に変更することができる。
【００２９】
本発明の映像コンテンツ蓄積サーバは、映像コンテンツの属性とは、映像コンテンツの削除または蓄積期間を示す情報を少なくとも含む、構成を採る。
【００３０】
この構成によれば、共有する映像コンテンツを分散して蓄積する複数のサーバ間でトリガを交換するだけで、各サーバに蓄積された映像コンテンツの削除や蓄積期間の変更を容易にすることができる。
【００３１】
【発明の実施の形態】
本発明の骨子は、監視拠点が設置された現場の状況変化に応じて監視データの転送、蓄積及び再生を管理する管理方法を変更して、実質的に必要な監視データの保護及び活用を可能にすることである。
【００３２】
以下、本発明の実施の形態について、図面を参照して詳細に説明する。
【００３３】
（実施の形態１）
図１は、本発明の実施の形態１に係る監視システムの基本構成を示すブロック図である。
【００３４】
図１に示す監視システム１は、複数の拠点サーバ１０−１〜１０−Ｎと、センタサーバ２０と、がネットワークＮを介して相互に接続されており、各拠点サーバ１０−１〜１０−Ｎが、それぞれ接続された複数のセンサＳ１〜ＳＮ及び複数のカメラＣ１〜ＣＮの検出情報及び映像情報を収集し、収集した検出情報及び映像情報をネットワークＮを介してセンタサーバ２０に送信し、センタサーバ２０が複数の拠点サーバ１０−１〜１０−Ｎから送信される検出情報及び映像情報を管理するようになっている。
【００３５】
複数の拠点サーバ１０−１〜１０−Ｎは、同一構成であり、双方向トリガ管理部１１と、コンテンツ管理部１２と、ストレージ１３と等から主に構成され、双方向トリガ管理部１１には複数のセンサＳ１〜ＳＮが接続され、コンテンツ管理部１２にはカメラＣ１〜ＣＮが接続されている。
【００３６】
双方向トリガ管理部１１は、トリガ受信部１１Ａと、トリガ送信部１１Ｂと、トリガ解析／生成部１１Ｃとから構成される。
【００３７】
トリガ受信部１１Ａは、センタサーバ２０からトリガを受信してトリガ解析／生成部１１Ｃに通知する。トリガ送信部１１Ｂは、トリガ解析／生成部１１Ｃからの指示に従ってトリガをセンタサーバ２０に送信する。
【００３８】
トリガ解析／生成部１１Ｃは、トリガ受信部１１Ａから通知される受信トリガに基づいて、映像コンテンツの記録開始又は取得処理又は優先度変更を行うようにコンテンツ管理部１２に指示する処理、受信トリガに基づいて映像コンテンツを解析し、その解析結果に応じてトリガを生成してトリガ送信部１１Ｂに通知する処理、映像コンテンツの状況／サーバの状況に応じてトリガを生成してトリガ送信部１１Ｂに通知する処理、を実行する。
【００３９】
ここで、トリガとは、映像コンテンツの属性（識別子、優先度、種別等のコンテンツの内容を表すメタデータ）を決定／変更するために拠点サーバ１０−１〜１０−Ｎとセンタサーバ２０との間で相互に交換されるメッセージである。
【００４０】
また、映像コンテンツの属性を表すメタデータには、撮影場所、時刻（先頭時刻：○時○分，最終時刻：△時△分）、トリガの種別（バックアップ、破損センサ、熱センサ、動き検出、人物検出等）、トリガの発生時刻、優先度（拠点サーバ、センタサーバ毎に個別に設定しても良い）、代表静止画（先頭の映像フレーム、代表映像フレーム等）等が含まれる。
【００４１】
コンテンツ管理部１２は、映像受信部１２Ａと、映像送信部１２Ｂと、ストレージアクセス管理部１２Ｃとから構成される。
【００４２】
映像受信部１２Ａは、双方向トリガ管理部１１内のトリガ解析／生成部１１Ｃからの指示に応じて、カメラＣ１〜ＣＮにおいて撮影中のライブ映像コンテンツ又は他のサーバから送信される蓄積映像コンテンツを受信する。
【００４３】
映像送信部１２Ｂは、他サーバのコンテンツ管理部からの指示に応じて、ライブ映像コンテンツ／蓄積映像コンテンツを送信する。
【００４４】
ストレージアクセス管理部１２Ｃは、双方向トリガ管理部１１内のトリガ解析／生成部１１Ｃからの指示に含まれるメタデータに基づいて、ライブ映像コンテンツの場合は指定時間内に撮影された映像コンテンツをメタデータとともにストレージ１３に記録する処理、蓄積コンテンツの場合は、該当する映像コンテンツの優先度を変更する処理、優先度の高い映像コンテンツを再上書き対象から外し、時間的に古い映像コンテンツから再上書きする処理、といったストレージ管理を実行する。
【００４５】
また、ストレージアクセス管理部１２Ｃは、ストレージ１３に記録される映像コンテンツを優先度に応じて管理するため、図２に示すコンテンツ管理テーブル１２１を有する。このストレージ管理テーブル１２１では、映像コンテンツを識別するための「コンテンツ番号：１〜４」と、映像コンテンツの記録内容を示す「種別：破損センサ作動、動き検出、タイムラプス記録（間歇記録）、手動記録」と、映像コンテンツを削除する順位を示す「優先度：１，２，５，４」と、映像コンテンツの容量を示す「コンテンツ容量」と、映像コンテンツの記録した時間を示す「記録時間：○時○分から○秒等」とを対応付けて管理している。
【００４６】
このコンテンツ管理テーブルの場合は、ストレージ１３内の空き容量が少なくなった場合（例えば、所定の空き容量以下になった場合）、優先度の低い映像コンテンツから順に削除対象としており、図３に示すように、映像コンテンツ３→５→４→２→１の順に再上書き対象として扱われる。
【００４７】
また、同一優先度の映像コンテンツが複数有る場合は、記録時刻が古いものから優先的に削除するものとする。また、優先度の設定は、拠点サーバ１０−１〜１０−Ｎ毎に変更しても良い。なお、図２に示したコンテンツ管理テーブルの管理項目はあくまで一例であり、必要に応じて変更しても良い。
【００４８】
そして、このコンテンツ管理テーブルに設定された種別毎に、拠点サーバ１０−１〜１０−Ｎにおいて、映像コンテンツの記録動作が行われ、そのテーブルに設定された各種映像コンテンツの設定情報に基づいて、後述するトリガが生成される。
【００４９】
ストレージ１３は、ストレージアクセス管理部１２Ｃにより映像コンテンツの書き込みが行われるハードディスク装置等である。
【００５０】
また、センタサーバ２０は、双方向トリガ管理部２１と、コンテンツ管理部２２と、ストレージ２３とから構成され、拠点サーバ１０−１〜１０−Ｎと同様の内部構成であるため、各構成の機能説明は省略する。
【００５１】
但し、センタサーバ２０は、拠点サーバ１０−１〜１０−Ｎの監視動作や映像コンテンツの蓄積動作、映像コンテンツの送信動作を管理するための指示を拠点サーバ１０−１〜１０−Ｎに送信する機能を有する。
【００５２】
本実施の形態では、上記トリガを拠点サーバ１０−１〜１０−Ｎとセンタサーバ２０との間で相互に交換することにより、以下のような従来の監視システムでは実現されていない機能を実現する。
【００５３】
▲１▼拠点サーバ１０−１〜１０−Ｎにおいて発生する異常事態に応じて監視対象の映像コンテンツの管理方法をセンタサーバ２０から再設定することを可能にする。
【００５４】
▲２▼各サーバが他のサーバから映像コンテンツを取得して蓄積した時点で、その蓄積した映像コンテンツを再上書き対象に優先的にすることで、各サーバのストレージ内に蓄積される映像コンテンツの冗長度を低減する。
【００５５】
▲３▼トリガに各映像コンテンツの寿命を付与することにより、センタサーバ２０側で、拠点サーバ１０−１〜１０−Ｎから映像コンテンツを取得するタイムリミットを判別可能にして、ネットワークＮやストレージ１３の各資源の使用状況に応じて、映像コンテンツをダウンロードするタイミングの調整を可能にする。
【００５６】
次いで、上記構成を有する監視システム１を大規模な警備用監視システムに適用した場合の動作について説明する。
【００５７】
図４は、図１の監視システム１の拠点サーバ１０−１とセンタサーバ２０と同一構成を含む大規模な警備用の監視システム１００を想定した場合のシステム構成図であり、地域毎に複数の店舗などに配置した拠点サーバＡ〜Ｃ，Ｙ，Ｚと、拠点サーバＡ〜Ｃ，Ｙ，Ｚを地域単位で管理するように配置したセンタサーバＡ，Ｂと、センタサーバＡ，Ｂを管理するセキュリティーサービス運用会社の主幹サーバＡと、が配置されている。
【００５８】
この場合、拠点サーバＡ〜Ｃ，Ｙ，Ｚが図１の拠点サーバ１０−１〜１０−Ｎに相当し、センタサーバＡ，Ｂが図１のセンタサーバ２０に相当する。また、主幹サーバＡも図１のセンタサーバ２０に相当するが、システム内では最も上位の管理用サーバであるため、映像コンテンツの解析処理やセンタサーバＡ，Ｂへの指示等を実行する機能を有する。
【００５９】
そして、拠点サーバＡ〜Ｃ，Ｙ，Ｚ、センタサーバＡ，Ｂ及び主幹サーバＡの相互間で交換されるトリガの発行は、図５の双方向トリガ管理部１１内において「パターン１：スルー，パターン２：コンテンツ再解析，パターン３：内部トリガ検出（ストレージ満杯、コンテンツダウンロード完了、処理負荷増大等）」の各動作タイミングで行われるものとする。
【００６０】
また、監視システム１００において、映像コンテンツの記録内容に係る拠点サーバＡ〜Ｃ，Ｙ，Ｚ内の動作種別は、図６に示すようになっているものとする。
【００６１】
図６において、横方向は映像コンテンツを構成する映像フレームが時系列で流れている様子を模式的に示し、縦方向に記録動作の種別を階層的に示し、その動作種別の階層が上に行くに従って、リアルタイム記録動作から非リアルタイム記録に向かうことを示している。
【００６２】
この場合、予め設定された時間間隔で映像フレームを間歇記録する「設定記録系」と、センサの動作（破損センサ作動、熱センサ作動等）に応じて記録する「センサ系」と、画像解析（環境音抽出、人物検出、動き検出等）に応じて記録する「画像センシング系」と、その他の状況（バックアップ、近隣で事件発生等）に応じて記録する「その他」という、４つの種別に分類される記録動作が行われることを示している。
【００６３】
これらの種別に属する各記録動作の内容は、図２に示したコンテンツ管理テーブル１２１において、「種別」項目に記録されて管理される。
【００６４】
次に、図４の監視システム１００において、重要度の高い映像コンテンツを主幹サーバＡ側で管理する場合に、拠点サーバＢ、センタサーバＡ及び主幹サーバＡの相互間で行われるトリガ交換処理について、図７及び図８を参照して説明する。
【００６５】
図７は、監視システム１００において、拠点サーバＢ、センタサーバＡ及び主幹サーバＡの相互間で行われるトリガ交換処理の流れ（▲１▼〜▲７▼）を示した図であり、図８は、その３者間のトリガ交換処理の流れ（▲１▼〜▲７▼）とともに、トリガの設定内容を示した図である。
【００６６】
図７及び図８の▲１▼において、まず、拠点サーバＢの破損センサが作動すると、拠点サーバＢ内のトリガ解析／生成部１１Ｃは、図２のコンテンツ管理テーブル１２１を参照して、種別「破損センサ作動」と記録時間「○時○分から○秒間」に基づいて、カメラＣ１〜ＣＮにより撮影される映像コンテンツを記録するとともに、その種別「破損センサ作動」に基づく「コンテンツ識別子」と、破損センサ作動に伴って記録された映像コンテンツのコンテンツ番号を示す「ｉｄ＝１」と、図示しない優先度「１」とを設定したトリガが生成して、そのトリガをトリガ送信部１１ＢによりセンタサーバＡに送信する。
【００６７】
次いで、図７及び図８の▲２▼、▲３▼において、センタサーバＡは、拠点サーバＢか送信されたトリガをトリガ受信部１１Ａで受信し、トリガに設定されたコンテンツ識別子「破損センサ作動」をトリガ解析／生成部１１Ｃで解析し、拠点サーバＢにおいて破損センサが作動したことを認識し、トリガに設定された映像コンテンツ番号「ｉｄ＝１」に基づいて、拠点サーバＢに対して「ｉｄ＝１」の映像コンテンツの取得要求を送信し、拠点サーバＢからコンテンツ映像を取得してコンテンツ管理部２２によりストレージ２３に蓄積する。
【００６８】
次いで、図７及び図８の▲４▼、▲５▼において、センタサーバＡは、蓄積した映像コンテンツをトリガ解析／生成部１１Ｃで再解析して特定人物の検出処理等を行い、特定人物を検出すると、「人物検出」を示す「コンテンツ識別子」と、映像コンテンツのコンテンツ番号を示す「ｉｄ＝１」とを設定したトリガが生成して、そのトリガをトリガ送信部１１Ｂにより主幹サーバＡに送信する。
【００６９】
次いで、図７及び図８の▲６▼、▲７▼において、主幹サーバＡは、センタサーバＡから送信されたトリガをトリガ受信部１１Ａで受信し、トリガに設定されたコンテンツ識別子「人物検出」をトリガ解析／生成部１１Ｃで解析し、センタサーバＡにおいて特定人物が検出されたことを認識し、トリガに設定された映像コンテンツ番号「ｉｄ＝１」に基づいて、センタサーバＡに対して「ｉｄ＝１」の映像コンテンツの取得要求を送信し、センタサーバＡからコンテンツ映像を取得してコンテンツ管理部２２によりストレージ２３に蓄積する。
【００７０】
このように、本実施の形態の監視システムによれば、拠点サーバにおいてセンサ作動等の状況変化が発生すると、その状況を示すメタデータとしてのコンテンツ識別子とコンテンツ映像番号とを設定したトリガが自動的に生成されて、上位のセンタサーバに送信され、センタサーバでは、トリガにより拠点サーバの状況変化が認識されて、映像コンテンツの取得処理及びコンテンツ解析処理が自動的に実行されて、人物検出等の対策処理が実行されるとともに、その検出結果を示すコンテンツ識別子を設定したトリガが生成されて更に上位の主幹サーバに自動的に通知されて、重要な映像コンテンツがセンタサーバから取得されて蓄積される。
【００７１】
したがって、拠点サーバ、センタサーバ及び主幹サーバ間でトリガを動的に生成して交換することにより、拠点サーバの異常検出に応じて撮影された重要な映像コンテンツを、上位のセンタサーバ及び更に上位の主幹サーバにおいて自動的に蓄積するといった、拠点サーバが設置された現場の状況変化に応じて柔軟に対処する監視システムを実現することができる。
【００７２】
このため、例えば、拠点サーバにおいて映像コンテンツを破壊する行為が行われたとしても、その映像コンテンツは管理サーバ側に既に蓄積されて保護されているため、監視システムの信頼性を向上させることができる。
【００７３】
（実施の形態２）
図９は、本発明の実施の形態２に係る監視システム１００のシステム構成を示す図であり、図７に示した拠点サーバＢとセンタサーバＡを適用している。また、図９の拠点サーバＢとセンタサーバＡは、図１に示した拠点サーバ及びセンタサーバの各内部構成と同一であるため、その図示及び構成説明は省略する。
【００７４】
本実施の形態の特徴は、センタサーバが拠点サーバから映像コンテンツを取得して蓄積した後、当該映像コンテンツの優先度を変更するトリガを生成して拠点サーバに送信して、拠点サーバ側に蓄積された映像コンテンツの優先度を下げることである。
【００７５】
図９の監視システム１００において、センタサーバＡが拠点サーバＢから取得した映像コンテンツの優先度の設定を変更する処理について、図９及び図１０を参照して説明する。
【００７６】
図９は、監視システム１００において、拠点サーバＢ及びセンタサーバＡの相互間で行われるトリガ交換処理の流れ（▲１▼〜▲５▼）を示した図であり、図１０は、その２者間のトリガ交換処理の流れ（▲１▼〜▲５▼）とともに、トリガの設定内容を示した図である。
【００７７】
図９において、拠点サーバＢは、時刻の経過とともに、コンテンツ番号「ｉｄ＝１０〜１４」、種別「Ａ（センサ作動），Ｂ（タイムラプス（間歇記録）映像），Ｃ（他ストレージコピー映像）」、優先度「１，５」を設定した映像コンテンツを順次記録している。この場合、優先度は、数字が小さいものほど、重要度が高いものとする。
【００７８】
そして、図９及び図１０の▲１▼において、拠点サーバＢの破損センサが作動すると、拠点サーバＢ内のトリガ解析／生成部１１Ｃは、図２のコンテンツ管理テーブル１２１を参照して、種別「破損センサ作動」と記録時間「○時○分から○秒間」に基づいて、カメラＣ１〜ＣＮにより撮影される映像コンテンツを記録するとともに、その種別「破損センサ作動」に基づく「コンテンツ識別子」と、破損センサ作動に伴って記録された映像コンテンツのコンテンツ番号を示す「ｉｄ＝１２」と、図示しない優先度「１」とを設定したトリガが生成して、そのトリガをトリガ送信部１１ＢによりセンタサーバＡに送信する。
【００７９】
次いで、図９及び図１０の▲２▼、▲３▼において、センタサーバＡは、拠点サーバＢか送信されたトリガをトリガ受信部１１Ａで受信し、トリガに設定されたコンテンツ識別子「破損センサ作動」をトリガ解析／生成部１１Ｃで解析し、拠点サーバＢにおいて破損センサが作動したことを認識し、トリガに設定された映像コンテンツ番号「ｉｄ＝１２」に基づいて、拠点サーバＢに対して「ｉｄ＝１２」の映像コンテンツの取得要求を送信し、拠点サーバＢからコンテンツ映像を取得してコンテンツ管理部２２によりストレージ２３に蓄積する。
【００８０】
次いで、図９及び図１０の▲４▼において、センタサーバＡは、蓄積した映像コンテンツ「ｉｄ＝１２」の優先度を下げるため、映像コンテンツ番号「ｉｄ＝１２」と、コンテンツ識別子「コンテンツコピー」とを設定したトリガをトリガ解析／生成部１１Ｃで生成し、トリガ送信部１１Ｂにより拠点サーバＢに送信する。
【００８１】
次いで、図９及び図１０の▲５▼において、拠点サーバＢは、センタサーバＡから送信されたトリガをトリガ受信部１１Ａで受信し、トリガに設定されたコンテンツ識別子「コンテンツコピー」をトリガ解析／生成部１１Ｃで解析し、センタサーバＡにおいて映像コンテンツ番号「ｉｄ＝１２」の映像コンテンツが保存されたことを認識して、当該映像コンテンツの優先度を「１→３」に変更する。
【００８２】
すなわち、この場合、優先度「１」から「３」に低く変更したため、拠点サーバＢでは、センタサーバＡに映像コンテンツをコピーした時点で削除するのではなく、該当映像コンテンツの優先度を下げることで、ストレージの空き容量が無くなった時点（又は、優先度の低いコンテンツが無くなった時点）で、コピーされた映像コンテンツを削除するようにした。
【００８３】
したがって、センタサーバにおいて、拠点サーバから映像コンテンツを取得・蓄積後に、映像コンテンツの優先度の変更を促すトリガを動的に生成して拠点サーバに送信することにより、拠点サーバでは、センタサーバに保存された映像コンテンツの優先度を低めて、当該映像コンテンツを削除するタイミングを延ばすことができる。
【００８４】
その結果、センタサーバにコピーされた映像コンテンツも拠点サーバ内に暫く保存されることになるので、各拠点サーバの管理者が自分の拠点の映像コンテンツを閲覧したい時に、センタサーバにアクセスしないといけないという事態を回避して、システムの利便性を向上させることができる。
【００８５】
また、優先度が高い映像コンテンツの蓄積量が増えてきて、ストレージの空き容量が減ってきた場合は、センタサーバに既にコピーされた優先度の低い映像コンテンツから削除されるため、拠点サーバにおける映像コンテンツの優先度の管理処理も軽減することができる。
【００８６】
（実施の形態３）
図１１は、本発明の実施の形態３に係る監視システム２００のシステム構成を示す図であり、図４に示した主幹サーバＡがブラックリスト照合センタである場合を示している。また、図１１の各拠点サーバＡ，Ｂ，・・・，Ｙ，Ｚと、センタサーバＡ，Ｂは、図１に示した拠点サーバ及びセンタサーバの各内部構成と同一であるため、その図示及び構成説明は省略する。
【００８７】
本実施の形態の特徴は、ブラックリスト照合センタがセンタサーバから映像コンテンツのサムネイル（静止画）を取得してブラックリストと照合し、ヒットすると、当該映像コンテンツの監視レベルを変更するトリガを生成してセンタサーバに送信して、センタサーバ側に蓄積された映像コンテンツの監視レベルを上げることである。
【００８８】
図１１は、監視システム２００において、拠点サーバＢ、センタサーバＡ及びブラックリスト照合センタの相互間で行われるトリガ交換処理の流れ（▲１▼〜▲６▼）を示した図であり、図１２は、その３者間のトリガ交換処理の流れ（▲１▼〜▲６▼）とともに、トリガの設定内容を示した図である。
【００８９】
図１１の監視システム２００において、ブラックリスト照合センタがセンタサーバＡから取得した映像コンテンツのサムネイル（静止画）をブラックリストと照合した結果、該当する映像コンテンツの優先度の設定を変更する処理について、図１１及び図１２を参照して説明する。
【００９０】
図１１において、拠点サーバＢは、時刻の経過とともに、コンテンツ番号「ｉｄ＝１０〜１４」、種別「Ａ（センサ作動），Ｂ（タイムラプス（間歇記録）映像），Ｃ（他ストレージコピー映像）」を設定した映像コンテンツを順次記録している。
【００９１】
そして、図１１及び図１２の▲１▼において、拠点サーバＢの破損センサが作動すると、拠点サーバＢ内のトリガ解析／生成部１１Ｃは、図２のコンテンツ管理テーブル１２１を参照して、種別「破損センサ作動」と記録時間「○時○分から○秒間」に基づいて、カメラＣ１〜ＣＮにより撮影される映像コンテンツを記録するとともに、その種別「破損センサ作動」に基づく「コンテンツ識別子」と、破損センサ作動に伴って記録された映像コンテンツのコンテンツ番号を示す「ｉｄ＝１３」と、図示しない優先度「１」とを設定したトリガが生成して、そのトリガをトリガ送信部１１ＢによりセンタサーバＡに送信する。
【００９２】
次いで、図１１及び図１２の▲２▼、▲３▼において、センタサーバＡは、拠点サーバＢか送信されたトリガをトリガ受信部１１Ａで受信し、トリガに設定されたコンテンツ識別子「破損センサ作動」をトリガ解析／生成部１１Ｃで解析し、拠点サーバＢにおいて破損センサが作動したことを認識し、トリガに設定された映像コンテンツ番号「ｉｄ＝１３」に基づいて、拠点サーバＢに対して「ｉｄ＝１３」の映像コンテンツの取得要求を送信し、拠点サーバＢからコンテンツ映像を取得してコンテンツ管理部２２によりストレージ２３に蓄積する。
【００９３】
次いで、図１１及び図１２の▲４▼において、センタサーバＡは、トリガ解析／生成部１１Ｃで蓄積した映像コンテンツのうち、異常検出後の最初の静止画からサムネイルを生成し、図２のコンテンツ管理テーブル１２１を参照して、「破損センサ作動，サムネイル」を付加した「コンテンツ識別子」と、映像コンテンツのコンテンツ番号を示す「ｉｄ＝１３」と、図示しない優先度「１」とを設定したトリガが生成して、そのトリガをトリガ送信部１１Ｂによりブラックリスト照合センタに送信する。
【００９４】
次いで、図１１及び図１２の▲５▼において、ブラックリスト照合センタは、センタサーバＡから送信されたトリガをトリガ受信部１１Ａで受信し、トリガに設定されたサムネイルをトリガ解析／生成部１１Ｃでブラックリストと照合し、サムネイルがブラックリストと一致（ヒット）すると、トリガに設定された映像コンテンツ番号「ｉｄ＝１３」と、当該映像コンテンツの監視レベルを上げるコンテンツ識別子「ブラックリストヒット」とを設定したトリガを生成して、そのトリガをトリガ送信部１１ＢによりセンタサーバＡに送信する。
【００９５】
次いで、図１１及び図１２の▲６▼において、センタサーバＡは、ブラックリスト照合センタから送信されたトリガをトリガ受信部１１Ａで受信し、トリガに設定された映像コンテンツ番号「ｉｄ＝１３」とコンテンツ識別子「ブラックリストヒット」とをトリガ解析／生成部１１Ｃで認識し、該当する映像コンテンツの監視レベルを「高レベル」に変更する。
【００９６】
このように、本実施の形態の監視システムによれば、拠点サーバにおいてセンサ作動等の状況変化が発生すると、その状況を示すメタデータとしてのコンテンツ識別子とコンテンツ映像番号とを設定したトリガが自動的に生成されて、上位のセンタサーバに送信され、センタサーバでは、トリガにより拠点サーバの状況変化が認識されて、映像コンテンツのサムネイルが自動的に生成されて、そのサムネイルを付加したコンテンツ識別子を設定したトリガが生成されて更に上位のブラックリスト照合センタに自動的に通知される。そして、ブラックリスト照合センタでは、サムネイルとブラックリストとが照合されて一致すると、ヒット情報を示すコンテンツ識別子を設定したトリガが生成されてセンタサーバに送信され、センタサーバでは、トリガにより該当する映像コンテンツの監視レベルが上げられる。
【００９７】
したがって、拠点サーバ、センタサーバ及びブラックリスト照合センタ間でトリガを動的に生成して交換することにより、拠点サーバの異常検出に応じて撮影された重要な映像コンテンツを、上位のセンタサーバ及び更に上位のブラックリスト照合センタにおいて自動的に蓄積及びブラックリスト照合するといった、拠点サーバが設置された現場の異常事態に応じて柔軟に対処する監視システムを実現することができる。
【００９８】
このため、例えば、拠点サーバにおいて不審人物を撮影した映像コンテンツを直ちに照合して、拠点サーバ側の監視レベルを上げることができ、監視システムの信頼性を向上させることができる。
【００９９】
（実施の形態４）
図１３は、本発明の実施の形態４に係る監視システム１００のシステム構成を示す図であり、図７に示した拠点サーバＢとセンタサーバＡを適用している。また、図１３の拠点サーバＢとセンタサーバＡは、図１に示した拠点サーバ及びセンタサーバの各内部構成と同一であるため、その図示及び構成説明は省略する。
【０１００】
本実施の形態の特徴は、拠点サーバが各映像コンテンツの再上書き時間を予測し、この予測時間を「寿命」としてコンテンツ識別に設定したトリガを生成してセンタサーバに送信し、センタサーバが拠点サーバから受信した「寿命」に基づいて映像コンテンツを取得するタイミングを算出することである。
【０１０１】
図１３の監視システム１００において、センタサーバＡが拠点サーバＢから取得した映像コンテンツの「寿命」情報に基づいて、該当する映像コンテンツを取得するタイミングを算出する処理について、図１３及び図１４を参照して説明する。
【０１０２】
図１３は、監視システム１００において、拠点サーバＢ及びセンタサーバＡの相互間で行われるトリガ交換処理の流れ（▲１▼〜▲４▼）を示した図であり、図１４は、その２者間のトリガ交換処理の流れ（▲１▼〜▲４▼）とともに、トリガの設定内容を示した図である。
【０１０３】
図１３において、拠点サーバＢは、時刻の経過とともに、コンテンツ番号「ｉｄ＝１０〜１４」、種別「Ａ（センサ作動），Ｂ（タイムラプス（間歇記録）映像），Ｃ（他ストレージコピー映像）」を設定した映像コンテンツを順次記録している。
【０１０４】
そして、図１３及び図１４の▲１▼において、拠点サーバＢの破損センサが作動すると、拠点サーバＢ内のトリガ解析／生成部１１Ｃは、図２のコンテンツ管理テーブル１２１を参照して、種別「破損センサ作動」と記録時間「○時○分から○秒間」に基づいて、カメラＣ１〜ＣＮにより撮影される映像コンテンツを記録するとともに、当該映像コンテンツの再上書き時間を予測する。
【０１０５】
このコンテンツの再上書き時間予測方法は、例えば、以下の数式（１）に従って行う。
【０１０６】
2005025533.tif 000003
但し、Ａ：指定コンテンツより優先度が低いコンテンツの総容量［ＭＢ］
Ｂ：指定コンテンツと優先度が同じで時間的に過去のコンテンツの総容量［ＭＢ］
Ｃ：ストレージの空き容量［ＭＢ］
ａ：指定コンテンツより優先度が高いコンテンツの発生頻度［％／分］
ｂ：指定コンテンツより優先度が高いコンテンツの平均記録レート［フレーム／分］
ｃ：１フレームあたりの平均画像サイズ［ＭＢ／フレーム］。
【０１０７】
そして、図１３及び図１４の▲２▼において、拠点サーバＢは、図２のコンテンツ管理テーブル１２１を参照して、予測したコンテンツ再上書きの概算値を「寿命」として、種別「破損センサ作動」とともに「コンテンツ識別子」に付加するとともに、破損センサ作動に伴って記録された映像コンテンツのコンテンツ番号を示す「ｉｄ＝１３」と、図示しない優先度「１」とを設定したトリガが生成して、そのトリガをトリガ送信部１１ＢによりセンタサーバＡに送信する。
【０１０８】
次いで、図１３及び図１４の▲３▼において、センタサーバＡは、拠点サーバＢか送信されたトリガをトリガ受信部１１Ａで受信し、トリガに設定されたコンテンツ識別子「寿命、破損センサ作動」をトリガ解析／生成部１１Ｃで解析し、拠点サーバＢにおいて破損センサが作動したことを認識し、その「寿命」に基づいて拠点サーバＢから当該映像コンテンツを取得するタイミングを算出する。
【０１０９】
次いで、図１３及び図１４の▲４▼において、センタサーバＡは、算出した取得タイミングにより指定時刻が経過したことを確認すると、先のトリガに設定された映像コンテンツ番号「ｉｄ＝１３」に基づいて、拠点サーバＢに対して「ｉｄ＝１３」の映像コンテンツの取得要求を送信し、拠点サーバＢからコンテンツ映像を取得してコンテンツ管理部２２によりストレージ２３に蓄積する。
【０１１０】
このように、本実施の形態の監視システムによれば、拠点サーバにおいてセンサ作動等の状況変化が発生すると、その記録する映像コンテンツの「寿命」が算出され、種別とともにコンテンツ識別子に付加されてトリガが自動的に生成されてセンタサーバに送信され、センタサーバでは、拠点サーバから受信したトリガに設定された「寿命」に基づいて、当該映像コンテンツを取得するタイミングが自動的に算出される。
【０１１１】
したがって、拠点サーバ及びセンタサーバ間でコンテンツの「寿命」を含むトリガを動的に生成して交換することにより、拠点サーバの異常検出に応じて撮影された映像コンテンツを、上位のセンタサーバから収集するタイミングを、例えば、深夜等の処理に支障のない時間帯に自動的に設定するといった、拠点サーバが設置された現場の異常事態に応じて柔軟に映像コンテンツを収集する監視システムを実現することができる。
【０１１２】
このため、例えば、拠点サーバにおいて不審人物を撮影した映像コンテンツを直ちに照合して、拠点サーバ側の監視レベルを上げることができ、監視システムの信頼性を向上させることができる。
【０１１３】
また、この場合、「寿命」をコンテンツ取得のタイムアウト時間とすると、寿命が経過してもセンタサーバからコンテンツ取得要求がないと、その映像コンテンツは消去されてしまうことになる。
【０１１４】
この対策として、例えば、寿命が経過する前に拠点サーバからセンタサーバに対してタイムアウト時間を通知する方法が考えられる。この通知方法を適用した場合の監視システムの動作について、図１５を参照して説明する。
【０１１５】
図１５において、拠点サーバＡは、図中に示すように、親サーバ管理テーブルとして、拠点サーバＡが親サーバとしてアクセスする第１番目のサーバ「第１サーバ」がセンタサーバＡであり、第２番目のサーバ「第２サーバ」がセンタサーバＢであるという設定がなされているものとする。
【０１１６】
図１５において、拠点サーバＡは、まず、▲１▼でコンテンツ取得のタイムアウトを設定し、▲２▼で「ｉｄ＝ｘｘｘ，タイムアウト時間」を設定したトリガを生成してセンタサーバＡに送信する。
【０１１７】
次いで、拠点サーバＡは、タイムアウト時間内にセンタサーバＡからコンテンツ取得のためのアクセスがない場合は、図の▲３▼において、第２サーバであるセンタサーバＢに同様のトリガを送信して、映像コンテンツの取得及び蓄積を促す。
【０１１８】
このように、拠点サーバが、タイムアウトを経過してもコンテンツを取得しにこないセンタサーバに対して、代理のサーバにコンテンツ取得を促すトリガを自動的に生成して送信することにより、主センタサーバが、例えば、ストレージの故障や回線ビジーにより拠点サーバにアクセスできないような場合でも、代理のセンタサーバに映像コンテンツを保存させることができ、監視システムの信頼性を更に向上させることができる。
【０１１９】
また、拠点サーバからセンタサーバにコピーされて蓄積された「寿命」が付加されたコンテンツが、他のサーバからアクセスされる際に、そのアクセスするタイミングに一週間程度のタイムラグが有るような場合、上記「寿命」を利用することにより検索が容易になる。
【０１２０】
すなわち、図１６に示すように、▲１▼において、拠点サーバからコンテンツ識別子に「寿命、優先度＝中、時間＝○○〜○○」が設定したトリガをセンタサーバに送信し、▲２▼において、センタサーバが受信したコンテンツ識別子により拠点サーバから該当する映像コンテンツを取得し、優先度に応じて間引き／解像度変換処理等を施して、メタデータ（寿命）とともに蓄積する。
【０１２１】
そして、▲３▼において、センタサーバが、映像コンテンツを蓄積してから、例えば、一週間後に事件発生等により他サーバ（公共機関等）から、映像コンテンツの優先度を上げるトリガを受信すると、▲４▼において、センタサーバは、寿命情報を用いて拠点サーバにまだ格納されている映像コンテンツの中から該当する映像コンテンツを検索する。
【０１２２】
次いで、該当する映像コンテンツがヒットすると、▲５▼において、センタサーバは、該当する映像コンテンツを拠点サーバから再度取得し、その優先度に応じた詳細な映像コンテンツをストレージに格納する。
【０１２３】
このように、他サーバからアクセスされるタイミングに大きなタイムラグがあり、優先度が上がる要求を受けた場合でも、「寿命」を用いて該当する映像コンテンツを検索して、詳細な映像コンテンツを再度取得することができる。
【０１２４】
したがって、事件等の発生により過去に蓄積された映像コンテンツの重要度が増し、詳細な映像コンテンツが必要になるような場合でも、寿命情報により該当する映像コンテンツの検索を容易にすることができる。その結果、何時発生するか分からない状況の変化に対しても、柔軟に対応できる監視システムを実現することができる。
【０１２５】
なお、上記各実施の形態では、コンテンツとして映像コンテンツを扱う場合を説明したが、その他のコンテンツも同様に扱うことができ、例えば、音のコンテンツを扱う場合も同様に処理することができる。
【０１２６】
また、上記の実施の形態では、拠点サーバとセンタサーバと主幹サーバ（ブラックリスト照合センタ）から構成される監視システムの例を説明したが、その他のシステム構成に対しても本発明は適用可能である。
【０１２７】
また、拠点サーバとセンタサーバと主幹サーバ（ブラックリスト照合センタ）は、それぞれ同一の構成要素で実現できるため、例えば、上記各実施の形態で説明したトリガ受信部１１Ａ、トリガ送信部１１Ｂ及びトリガ解析／生成部１１Ｃの各機能をソフトウェアで実現することも可能であり、同一のコンピュータ装置の当該ソフトウェアをセットアップすることにより、本発明の監視システムを容易に実現できる。
【０１２８】
【発明の効果】
以上説明したように、本発明によれば、事件等の異常事態の発生に応じて重要な監視情報を管理装置側で保護することができ、監視システムの信頼性を向上させることができる。
【図面の簡単な説明】
【図１】本発明の実施の形態１に係る監視システムの基本構成を示すブロック図
【図２】実施の形態１に係るコンテンツ管理テーブルの構成例を示す図
【図３】実施の形態１に係るコンテンツの書き換え順序の一例を示す図
【図４】実施の形態１に係る監視システムのシステム構成を示す図
【図５】実施の形態１に係る双方向トリガのパターン例を示す図
【図６】実施の形態１に係る動作種別と映像フレームとの関連性を示す図
【図７】実施の形態１に係る拠点サーバ、センタサーバ及び主幹サーバの相互間で行われるトリガ交換処理の流れを示す図
【図８】実施の形態１に係る拠点サーバ、センタサーバ及び主幹サーバの相互間のトリガ交換処理の流れと、トリガの設定内容を示す図
【図９】本発明の実施の形態２に係る監視システムの構成及び拠点サーバ及びセンタサーバの相互間で行われるトリガ交換処理の流れを示すブロック図
【図１０】実施の形態２に係る拠点サーバ及びセンタサーバの相互間のトリガ交換処理の流れと、トリガの設定内容を示す図
【図１１】本発明の実施の形態３に係る監視システムの構成及び拠点サーバ、センタサーバ及びブラックリスト照合センタの相互間で行われるトリガ交換処理の流れを示すブロック図
【図１２】実施の形態３に係る拠点サーバ、センタサーバ及びブラックリスト照合センタの相互間で行われるトリガ交換処理の流れと、トリガの設定内容を示す図
【図１３】本発明の実施の形態４に係る監視システムの構成及び拠点サーバ及びセンタサーバの相互間で行われるトリガ交換処理の流れを示すブロック図
【図１４】実施の形態４に係る拠点サーバ及びセンタサーバの相互間のトリガ交換処理の流れと、トリガの設定内容を示す図
【図１５】実施の形態４に係るタイムアウト時間を通知する監視システムの動作を示す図
【図１６】実施の形態４に係る「寿命」が付加されたコンテンツが他のサーバからアクセスされるタイミングにタイムラグが有る場合の監視システムの動作を示す図
【符号の説明】
１，１００，２００  監視システム
１０−１〜１０−Ｎ  拠点サーバ
１１  双方向トリガ管理部
１１Ａ  トリガ受信部
１１Ｂ  トリガ送信部
１１Ｃ  トリガ解析／生成部
１２  コンテンツ管理部
１２１  コンテンツ管理テーブル
１２Ａ  映像受信部
１２Ｂ  映像送信部
１２Ｃ  ストレージアクセス管理部
１３，２３  ストレージ
【図１】
2005025533.tif 000004
【図２】
2005025533.tif 000005
【図３】
2005025533.tif 000006
【図４】
2005025533.tif 000007
【図５】
2005025533.tif 000008
【図６】
2005025533.tif 000009
【図７】
2005025533.tif 000010
【図８】
2005025533.tif 000011
【図９】
2005025533.tif 000012
【図１０】
2005025533.tif 000013
【図１１】
2005025533.tif 000014
【図１２】
2005025533.tif 000015
【図１３】
2005025533.tif 000016
【図１４】
2005025533.tif 000017
【図１５】
2005025533.tif 000018
【図１６】
2005025533.tif 000019